(57)【特許請求の範囲】
【請求項１】
コンピュータに、
生体認証情報とデジタル証明書と非接触式ＩＣカード自体に固有のＩＤとが少なくとも記憶された非接触式ＩＣカードから前記生体認証情報を読み出す生体認証情報読み出し機能、
前記読み出した生体認証情報と予め登録された生体認証情報とが一致するかにより、前記非接触式ＩＣカードを使用しているのが操作者本人であるかに関する認証を通信ネットワークに接続する前に実行する認証実行機能、
前記認証実行機能による認証の結果、前記非接触式ＩＣカードを使用しているのが操作者本人である場合にのみ、前記非接触式ＩＣカードから前記デジタル証明書と非接触式ＩＣカード自体に固有のＩＤを読み出すデジタル証明書読み出し機能、
読み出したデジタル証明書と非接触式ＩＣカード自体に固有のＩＤとの組を前記非接触式ＩＣカードの認証を実行する外部の認証サーバ装置に通信ネットワークを介して送信するデジタル証明書送信機能、
前記認証サーバ装置でなされた認証の結果、前記認証サーバ装置から接続許可通知を受け取った場合にのみ、前記認証サーバ装置との間で暗号化された接続を確立する接続制御機能
を実現させるための認証用プログラム。
【請求項２】
端末装置の生体認証情報読み出し手段により、生体認証情報とデジタル証明書と非接触式ＩＣカード自体に固有のＩＤとが少なくとも記憶された非接触式ＩＣカードから前記生体認証情報を読み出す生体認証情報読み出し工程と、
前記端末装置の認証実行手段により、前記読み出した生体認証情報と予め登録された生体認証情報とが一致するかにより、前記非接触式ＩＣカードを使用しているのが操作者本人であるかに関する認証を通信ネットワークに接続する前に実行する認証実行工程と、
前記端末装置のデジタル証明書読み出し手段により、前記認証実行工程による認証の結果、前記非接触式ＩＣカードを使用しているのが操作者本人である場合にのみ、前記非接触式ＩＣカードから前記デジタル証明書と非接触式ＩＣカード自体に固有のＩＤを読み出すデジタル証明書読み出し工程と、
前記端末装置のデジタル証明書送信手段により、読み出したデジタル証明書と非接触式ＩＣカード自体に固有のＩＤとの組を前記非接触式ＩＣカードの認証を実行する外部の認証サーバ装置に通信ネットワークを介して送信するデジタル証明書送信工程と、
前記端末装置の接続制御により、前記認証サーバ装置でなされた認証の結果、前記認証サーバ装置から接続許可通知を受け取った場合にのみ、前記認証サーバ装置との間で暗号化された接続を確立する接続制御工程と
を含むサーバ装置への接続制御方法。
【請求項３】
生体認証情報とデジタル証明書と非接触式ＩＣカード自体に固有のＩＤとが少なくとも記憶された非接触式ＩＣカードから前記生体認証情報を読み出す生体認証情報読み出し手段と、
前記読み出した生体認証情報と予め登録された生体認証情報とが一致するかにより、前記非接触式ＩＣカードを使用しているのが操作者本人であるかに関する認証を通信ネットワークに接続する前に実行する認証実行手段と、
前記認証実行手段による認証の結果、前記非接触式ＩＣカードを使用しているのが操作者本人である場合にのみ、前記非接触式ＩＣカードから前記デジタル証明書と非接触式ＩＣカード自体に固有のＩＤを読み出すデジタル証明書読み出し手段と、
読み出したデジタル証明書と非接触式ＩＣカード自体に固有のＩＤとの組を前記非接触式ＩＣカードの認証を実行する外部の認証サーバ装置に通信ネットワークを介して送信するデジタル証明書送信手段と、
前記認証サーバ装置でなされた認証の結果、前記認証サーバ装置から接続許可通知を受け取った場合にのみ、前記認証サーバ装置との間で暗号化された接続を確立する接続制御手段と
を備えた端末装置。
【請求項４】
前記接続制御手段は、前記認証サーバ装置との間の接続を確立した後で、予め設定された時間内に前記操作者本人である患者が再度生体認証の処理を実行しない場合、前記認証サーバ装置との間の接続を解除する請求項３に記載の端末装置。
【発明の詳細な説明】
【技術分野】
【０００１】
本発明は、患者の自宅等と、患者の自宅等と離れた遠隔地に存在する医療機関との間で医療用データの通信を行う在宅医療用の医療用通信システムに適用可能な認証用プログラム、接続制御方法、及び端末装置に関する。
【背景技術】
【０００２】
従来、ユーザの認証手法としては、例えば決済用に考案された支払い余力に関する情報と、非接触式ＩＣカード自体に固有のＩＤとが記憶された非接触式ＩＣカードを用いた手法が知られている（特許文献１参照）。
【０００３】
【特許文献１】特開２００８−００９７７８号公報
【発明の開示】
【発明が解決しようとする課題】
【０００４】
近年、高齢化社会の急速な進展に伴い、例えば高齢者が何らかの疾患を罹患した場合や外傷を負った場合であっても、既存の医療機関内に高齢者のベッドを確保することが極めて困難になりつつある。
【０００５】
また、医師の絶対数が慢性的に不足しているので、例えば僻地等においては、高齢者が医師による十分な診療を受けられない事態が発生する可能性がある。
【０００６】
かかる事態を改善する手法としては、患者の自宅等から遠隔地にあり、当該患者の自宅等と通信ネットワークを介して接続された医療機関で、患者の自宅で撮影された画像データを、医療機関の医師が確認することによって医療を受ける機会を保障する手法が挙げられる。
【０００７】
かかる手法を実現するために、特許文献１に記載されたような周知の非接触式ＩＣカードを用いた手法を適用することを考慮した場合、特許文献１に関するシステムは、簡易に決済が可能なように形成された非接触式ＩＣカードを用いるので、より高いセキュリティを要求される医療情報を伝送する医療用通信システムに特許文献１に記載されたような周知の非接触式ＩＣカードをそのまま適用することは難しい。
【０００８】
本発明者の認証に関する詳細なる考察によれば、一般的な決済に用いられる非接触式ＩＣカードよりもセキュリティを高めることが可能な非接触式ＩＣカードを用いた認証方法を適用した医療用通信システムに対する産業界の要請が高まっている。
【０００９】
そこで、本発明は、一般的な決済に用いられる非接触式ＩＣカードよりもセキュリティを高めることが可能な非接触式ＩＣカードを用いた認証を可能にする認証用プログラム、接続制御方法、及び端末装置を提供することを目的とする。
【課題を解決するための手段】
【００１０】
本発明の骨子は、「生体認証情報とデジタル証明書と非接触式ＩＣカード自体に固有のＩＤとが少なくとも記憶された非接触式ＩＣカードから前記生体認証情報を読み出し、読み出した生体認証情報と予め登録された生体認証情報とが一致するかにより、非接触式ＩＣカードを使用しているのが操作者本人であるかに関する認証を通信ネットワークに接続する前に実行」する構成により、「一般的な決済に用いられる非接触式ＩＣカードよりもセキュリティを高めることが可能な非接触式ＩＣカードを用いた認証を可能にする」という本願の発明に特有の効果を達成することにある。
【００１１】
さて、以上のような本発明の骨子は、具体的には、以下のような手段を講じることにより実現される。
【００１２】
第１の発明は、コンピュータに、生体認証情報とデジタル証明書と非接触式ＩＣカード自体に固有のＩＤとが少なくとも記憶された非接触式ＩＣカードから前記生体認証情報を読み出す生体認証情報読み出し機能、前記読み出した生体認証情報と予め登録された生体認証情報とが一致するかにより、前記非接触式ＩＣカードを使用しているのが操作者本人であるかに関する認証を通信ネットワークに接続する前に実行する認証実行機能、前記認証実行機能による認証の結果、前記非接触式ＩＣカードを使用しているのが操作者本人である場合にのみ、前記非接触式ＩＣカードから前記デジタル証明書と非接触式ＩＣカード自体に固有のＩＤを読み出すデジタル証明書読み出し機能、読み出したデジタル証明書と非接触式ＩＣカード自体に固有のＩＤとの組を前記非接触式ＩＣカードの認証を実行する外部の認証サーバ装置に通信ネットワークを介して送信するデジタル証明書送信機能、前記認証サーバ装置でなされた認証の結果、前記認証サーバ装置から接続許可通知を受け取った場合にのみ、前記認証サーバ装置との間で暗号化された接続を確立する接続制御機能を実現させるための認証用プログラムである。
【００１３】
これにより、非接触式ＩＣカード内に記憶された患者の生体認証情報に関する認証を通信ネットワーク接続前に実行するので、一般的な決済に用いられる非接触式ＩＣカードよりもセキュリティを高めることが可能な非接触式ＩＣカードを用いた認証が可能になる。
【００１４】
第２の発明は、端末装置の生体認証情報読み出し手段により、生体認証情報とデジタル証明書と非接触式ＩＣカード自体に固有のＩＤとが少なくとも記憶された非接触式ＩＣカードから前記生体認証情報を読み出す生体認証情報読み出し工程と、前記端末装置の認証実行手段により、前記読み出した生体認証情報と予め登録された生体認証情報とが一致するかにより、前記非接触式ＩＣカードを使用しているのが操作者本人であるかに関する認証を通信ネットワークに接続する前に実行する認証実行工程と、前記端末装置のデジタル証明書読み出し手段により、前記認証実行工程による認証の結果、前記非接触式ＩＣカードを使用しているのが操作者本人である場合にのみ、前記非接触式ＩＣカードから前記デジタル証明書と非接触式ＩＣカード自体に固有のＩＤを読み出すデジタル証明書読み出し工程と、前記端末装置のデジタル証明書送信手段により、読み出したデジタル証明書と非接触式ＩＣカード自体に固有のＩＤとの組を前記非接触式ＩＣカードの認証を実行する外部の認証サーバ装置に通信ネットワークを介して送信するデジタル証明書送信工程と、前記端末装置の接続制御により、前記認証サーバ装置でなされた認証の結果、前記認証サーバ装置から接続許可通知を受け取った場合にのみ、前記認証サーバ装置との間で暗号化された接続を確立する接続制御工程と
を含むサーバ装置への接続制御方法である。
【００１５】
これにより、非接触式ＩＣカード内に記憶された患者の生体認証情報に関する認証を通信ネットワーク接続前に実行するので、一般的な決済に用いられる非接触式ＩＣカードよりもセキュリティを高めることが可能な非接触式ＩＣカードを用いた認証が可能になる。
【００１６】
第３の発明は、  生体認証情報とデジタル証明書と非接触式ＩＣカード自体に固有のＩＤとが少なくとも記憶された非接触式ＩＣカードから前記生体認証情報を読み出す生体認証情報読み出し手段と、前記読み出した生体認証情報と予め登録された生体認証情報とが一致するかにより、前記非接触式ＩＣカードを使用しているのが操作者本人であるかに関する認証を通信ネットワークに接続する前に実行する認証実行手段と、前記認証実行手段による認証の結果、前記非接触式ＩＣカードを使用しているのが操作者本人である場合にのみ、前記非接触式ＩＣカードから前記デジタル証明書と非接触式ＩＣカード自体に固有のＩＤを読み出すデジタル証明書読み出し手段と、読み出したデジタル証明書と非接触式ＩＣカード自体に固有のＩＤとの組を前記非接触式ＩＣカードの認証を実行する外部の認証サーバ装置に通信ネットワークを介して送信するデジタル証明書送信手段と、前記認証サーバ装置でなされた認証の結果、前記認証サーバ装置から接続許可通知を受け取った場合にのみ、前記認証サーバ装置との間で暗号化された接続を確立する接続制御手段とを備えた端末装置である。
【００１７】
これにより、非接触式ＩＣカード内に記憶された患者の生体認証情報に関する認証を通信ネットワーク接続前に実行するので、一般的な決済に用いられる非接触式ＩＣカードよりもセキュリティを高めることが可能な非接触式ＩＣカードを用いた認証が可能になる。
【発明の効果】
【００１８】
本発明によれば、一般的な決済に用いられる非接触式ＩＣカードよりもセキュリティを高めることが可能な非接触式ＩＣカードを用いた認証が可能になる。
【発明を実施するための最良の形態】
【００１９】
以下、本発明の最良の形態に関し、図面を参照して説明する。
【００２０】
図１は、本発明の一実施の形態に係る認証方法を適用した医療用通信システムＭＴＳの全体構成を示すブロック図である。
【００２１】
本実施の形態に係る医療用通信システムＭＴＳは、患者の生態認証情報、例えば指先や掌の静脈網に関する情報と、例えばＸ５０９証明書等のデジタル証明書のデータと、非接触式ＩＣカードＣＤ自体に固有のＩＤとが記憶された非接触式ＩＣカードＣＤを用いて、患者側端末装置１とリモートアクセス認証サーバ装置２との間のセキュリティを高めた通信を実現しようとするものである。
【００２２】
本実施の形態に係る医療用通信システムＭＴＳで用いられる非接触式ＩＣカードＣＤは、患者側端末装置１とリモートアクセス認証サーバ装置２との間の医療用データの通信に関するセキュリティをより一層強化する観点から、決済用に用いられている一般的な非接触式ＩＣカードとは異なり、患者の生体認証情報、例えば患者の指先又は掌の静脈網に関するデータと、デジタル証明書、例えばＸ５０９証明書のデータと、非接触式ＩＣカードＣＤ自体に固有のＩＤとが、当該非接触式ＩＣカードＣＤの内蔵する図示しないＩＣチップ内に記憶されている。
【００２３】
なお、本実施の形態に係る非接触式ＩＣカードＣＤに記憶される生体認証情報としては、患者個人を特定可能な情報であれば、指先又は掌の静脈網に関する情報に限らず、例えば網膜上の血管網に関するデータであってもよいし、指紋に関する情報であってもよいことは言うまでもない。
【００２４】
また、本実施の形態に係る非接触式ＩＣカードＣＤに記憶されるデジタル証明書としては、認証局が発行するデジタル署名解析用の公開鍵が真正であることを示すデータであればよく、ＩＴＵ―ＴＸ．Ｘ５０９証明書に限定されるものではない。
【００２５】
本実施の形態に係る医療用通信システムで用いられる非接触式ＩＣカードＣＤは、本実施の形態に係る医療用通信システムＭＴＳを構成する患者側端末装置１の非接触式ＩＣカードインターフェース部１ａに翳されると、非接触式ＩＣカードＣＤ内に内蔵された図示しないＩＣチップ内に記憶された患者の生体認証情報、例えば患者の指先又は掌の静脈網に関するデータ、又はデジタル証明書のデータと非接触式ＩＣカードＣＤ自体に固有のＩＤとが前述したＩＣチップから読みだされ、読みだされた患者の生体認証情報、又はデジタル証明書のデータと非接触式ＩＣカードＣＤ自体に固有のＩＤとが図示しない通信インターフェースから本実施の形態に係る患者側端末装置１に向けて送信されるように構成されている。
【００２６】
本発明の一実施の形態に係る認証方法を適用した医療用通信システムＭＴＳは、患者の自宅等に設けられた患者側端末装置１と、患者の自宅とは離れた遠隔地に存在する医療機関等に設けられ、前述した患者側端末装置１と通信ネットワークを介して接続されたリモートアクセス認証サーバ装置２とを備えている。
【００２７】
患者側端末装置１は、図１に示すように、非接触式カードインターフェース部１ａと、生体認証情報記憶部１ｂと、認証部１ｃと、デジタル証明書取得部１ｄと、デジタル証明書送付部１ｅとを備えている。
【００２８】
なお、本実施の形態に係る医療用通信システム内の患者側端末装置１は、記録媒体又は通信ネットワークを介して認証用プログラムがインストールされた周知のコンピュータによって実現される。
【００２９】
本実施の形態に係る医療用通信システム内の患者側端末装置１を構成する各部は、ソフトウェア又はハードウェアもしくはソフトウェアとハードウェアとの組み合わせの何れから構成されていてもよい。
【００３０】
非接触式ＩＣカードインターフェース部１ａは、非接触式ＩＣカードＣＤが翳された場合に、生体認証情報と、デジタル証明書のデータと、非接触式ＩＣカードＣＤ自体に固有のＩＤとが記憶された非接触式ＩＣカードＣＤから生体認証情報を読み出す機能と、読み出した生体認証情報を認証部１ｃに出力する機能と、デジタル証明書を非接触式ＩＣカードＣＤから読み出させるためのデジタル証明書読み出し命令を認証部１ｃから受け取った場合に、生体認証情報と、デジタル証明書のデータと、非接触式ＩＣカードＣＤ自体に固有のＩＤとが記憶された非接触式ＩＣカードＣＤからデジタル証明書のデータと、非接触式ＩＣカードＣＤ自体に固有のＩＤとの組を読み出す機能と、読み出したデジタル証明書のデータと、非接触式ＩＣカードＣＤ自体に固有のＩＤとの組を認証部１ｃに出力する機能とを有する。
【００３１】
生体認証情報記憶部１ｂには、患者によって登録された患者の生体認証情報、例えば患者の指先又は掌の静脈網に関するデータが記憶されている。
【００３２】
認証部１ｃは、非接触式ＩＣカードインターフェース部１ａから生体認証情報を受け取ると、生体認証情報記憶部１ｂに記憶された患者の生体認証情報を読み出し、読み出した生体認証情報と、非接触式ＩＣカードインターフェース部１ａから受け取った生体認証情報とが一致するかにより、非接触式ＩＣカードＣＤを使用しているのが操作者本人であるかに関する認証を実行する機能と、当該認証の結果、非接触式ＩＣカードＣＤを使用しているのが操作者本人である場合に、デジタル証明書を非接触式ＩＣカードＣＤから読み出させるためのデジタル証明書読み出し命令を非接触式ＩＣカードインターフェース部１ａに出力する機能と、デジタル証明書のデータと、非接触式ＩＣカードＣＤ自体に固有のＩＤとの組を非接触式ＩＣカードインターフェース部１ａから受け取り、受け取ったデジタル証明書のデータと、非接触式ＩＣカードＣＤ自体に固有のＩＤとの組をデジタル証明書取得部１ｄに出力する機能と、前述した認証の結果、非接触式ＩＣカードＣＤを使用しているのが操作者本人ではない場合に、認証処理を終了する機能とを有する。
【００３３】
デジタル証明書取得部１ｄは、デジタル証明書のデータと、非接触式ＩＣカードＣＤ自体に固有のＩＤとの組を認証部１ｃから受け取り、受け取ったデジタル証明書のデータと、非接触式ＩＣカードＣＤ自体に固有のＩＤとの組をデジタル証明書送付部１ｅに出力する機能とを有する。
【００３４】
デジタル証明書送付部１ｅは、デジタル証明書のデータと、非接触式ＩＣカードＣＤ自体に固有のＩＤとの組をデジタル証明書取得部１ｄから受け取り、受け取ったデジタル証明書のデータと、非接触式ＩＣカードＣＤ自体に固有のＩＤとの組を、通信ネットワークを介して医療機関に設置されたリモートアクセス認証サーバ装置２に送信する機能と、デジタル証明書のデータと非接触式ＩＣカードＣＤ自体に固有のＩＤのデータとの組み合わせが正当なものである、換言すれば非接触式ＩＣカードＣＤが偽造された偽造カードではないことを示す接続許可通知を受け取ったかにより、リモートアクセス認証サーバ装置２によって実行された認証の結果がＯＫであったかを判定する機能と、前述した判定の結果、リモートアクセス認証サーバ装置２によって実行された認証の結果がＯＫであった場合に、リモートアクセス認証サーバ装置２との間でＩＰｓｅｃの規格に準拠した接続を確立する機能とを有する。
【００３５】
リモートアクセス認証サーバ装置２は、患者側端末装置１から通信ネットワークを介して送信された、デジタル証明書のデータと、非接触式ＩＣカードＣＤ自体に固有のＩＤとの組を受け取り、受け取ったデジタル証明書が有効な証明書であり、かつ、非接触式ＩＣカードＣＤ自体に固有のＩＤが予め登録された非接触式ＩＣカードＣＤのＩＤと一致すると判定されたかにより、患者の所有する非接触式ＩＣカードＣＤが偽造されていない正規のカードであるかに関する認証を実行する機能と、当該認証の結果、患者側端末装置１から受け取ったデジタル証明書が有効な証明書であり、かつ、非接触式ＩＣカードＣＤ自体に固有のＩＤが予め登録された非接触式ＩＣカードのＩＤと一致すると判定された場合、換言すれば患者の所有する非接触式ＩＣカードＣＤが偽造されていない正規のカードであると判定された場合に、患者側端末装置１に対してリモートアクセス認証サーバ装置２への接続を許可することを示す接続許可通知を患者側端末装置１に送信する機能と、前述した認証の結果、受け取ったデジタル証明書のデータが無効な証明書であるか、及び非接触式ＩＣカードＣＤ自体に固有のＩＤが予め登録された非接触式ＩＣカードＣＤのＩＤと一致しないかの少なくとも一方である場合、換言すれば患者の所有する非接触式ＩＣカードＣＤが偽造された偽造カードであると判定した場合に、患者側端末装置１に対してリモートアクセス認証サーバ装置２への接続を許可しないことを示す接続不許可通知を患者側端末装置１に送信した後、当該リモートアクセス認証サーバ装置２と患者側端末装置１との間の接続を解除する機能とを有する。
【００３６】
次に、以上のように構成された医療用通信システムの実行する実行処理に関し、図面を参照して説明する。
【００３７】
図２は、本実施の形態に係る認証方法を医療用通信システムの実行処理を説明するための模式図である。
【００３８】
また、図３は、本実施の形態に係る認証方法を適用した医療用通信システムの実行処理を説明するためのフローチャートである。
【００３９】
始めに、本実施の形態に係る医療用通信システムの非接触式カードインターフェース部１ａに非接触式ＩＣカードＣＤが患者の操作によって翳されると、非接触式ＩＣカードインターフェース部１ａが非接触式ＩＣカードＣＤから生体認証情報を読み出し（ＳＴ１：生体認証情報読み出し工程）、認証部１ｃは、非接触式ＩＣカードインターフェース部１ａによって非接触式ＩＣカードＣＤから読み出された患者の生態認証情報を取得する。
【００４０】
次に、認証部１ｃは、生体認証情報記憶部１ｂから予め記憶された生体認証情報を読み出した後、読み出した生体認証情報と、非接触式ＩＣカードインターフェース部１ａから取得した患者の生態認証情報とが一致するかにより、非接触式ＩＣカードＣＤを使用しているのが患者本人であるかに関する認証をローカルの状態で実行する（ＳＴ２：認証処理実行工程）。
【００４１】
デジタル証明書取得部１ｄは、前述した認証の結果、非接触式ＩＣカードＣＤを使用しているのが患者本人である場合には（ＳＴ２：ＯＫ）、非接触式ＩＣカードインターフェース部１ａが非接触式ＩＣカードＣＤからデジタル証明書のデータと、非接触式ＩＣカードＣＤ自体に固有のＩＤのデータとを読み出し（ＳＴ３：デジタル証明書読み出し工程）、非接触式ＩＣカードインターフェース部１ａによって非接触式ＩＣカードＣＤから読み出され、認証部１ｃによって転送された患者の生態認証情報を取得する。
【００４２】
一方、認証部１ｃは、前述した認証の結果、非接触式ＩＣカードＣＤを使用しているのが患者本人ではない場合には（ＳＴ２：ＮＧ）、実行中の認証処理を終了する（ＳＴ４）。
【００４３】
工程ＳＴ５では、デジタル証明書送付部１ｅは、デジタル証明書のデータと非接触式ＩＣカードＣＤ自体に固有のＩＤのデータとをデジタル証明書取得部１ｄから受け取り、受け取ったデジタル証明書のデータと非接触式ＩＣカードＣＤ自体に固有のＩＤのデータとを通信ネットワークを介してリモートアクセス認証サーバ装置２に送信する。
【００４４】
工程ＳＴ６では、デジタル証明書送付部１ｅは、デジタル証明書のデータと非接触式ＩＣカードＣＤ自体に固有のＩＤのデータとの組み合わせが正当なものである場合、換言すれば非接触式ＩＣカードＣＤが偽造された偽造カードではない正規のカードである場合にリモートアクセス認証サーバ装置２から送信される、患者側端末装置１にリモートアクセス認証サーバ装置２との間の接続を許可することを示す接続許可通知を受け取ったかにより、リモートアクセス認証サーバ装置２によって実行された認証の結果が接続ＯＫであったかを判定する。
【００４５】
デジタル証明書送付部１ｅは、前述した判定の結果、非接触式ＩＣカードＣＤが偽造された偽造カードではない正規のカードである場合にリモートアクセス認証サーバ装置２から送信される、患者側端末装置１にリモートアクセス認証サーバ装置２との間の接続を許可することを示す接続許可通知を受け取った場合、換言すればリモートアクセス認証サーバ装置２によって実行された認証の結果が接続ＯＫであったと判定された場合には（ＳＴ６：Ｙｅｓ）、リモートアクセス認証サーバ装置２との間でＩＰＳｅｃの規格に準拠した接続を確立する（ＳＴ７）。
【００４６】
一方、デジタル証明書送付部１ｅは、前述した判定の結果、受け取ったデジタル証明書のデータが無効な証明書であるか、及び非接触式ＩＣカードＣＤ自体に固有のＩＤが予め登録された非接触式ＩＣカードＣＤのＩＤと一致しないかの少なくとも一方である場合、換言すれば患者の所有する非接触式ＩＣカードＣＤが偽造された偽造カードであると判定した場合にリモートアクセス認証サーバ装置２から送信される、患者側端末装置１にリモートアクセス認証サーバ装置２との間の接続を許可しないことを示す接続不許可通知を受け取ったと判定した場合には（ＳＴ６：Ｎｏ）、当該リモートアクセス認証サーバ装置２と患者側端末装置１との間の接続を解除した後、実行処理を終了する。
【００４７】
上述したように、本実施の形態によれば、非接触式ＩＣカードＣＤ内に記憶された患者の生体認証情報に関する認証を通信ネットワーク接続前に実行するので、一般的な決済に用いられる非接触式ＩＣカードよりもセキュリティを高めることが可能な非接触式ＩＣカードＣＤを用いた認証を可能になる。
【００４８】
また、本実施の形態によれば、プログラムがインストールされた環境であれば煩雑な操作などを簡略化し、在宅患者本人がアクセスしていることが保証されたＩＰセッションを、患者の自宅に設置された患者側端末装置１と、医療機関内に設置されたリモートアクセス認証サーバ装置２との間で確立することが可能となる。
【００４９】
更に、本実施の形態によれば、通信ネットワークに接続することなくローカルで生体認証情報に関する認証を実行するので、盗聴に対してセキュリティを高めることが可能になる。
【００５０】
また、本実施の形態によれば、非接触式ＩＣカードＣＤ内部に患者の生体認証情報と、デジタル証明書のデータと、非接触式ＩＣカードＣＤ自体に固有のＩＤとが記憶されているので、これらのデータを通信ネットワーク上のサーバ装置に記憶させておく場合と比較して、データの改ざん、偽造等を困難にすることが可能になる。
【００５１】
なお、上述した本実施の形態に係る説明では、患者の自宅等に設置された患者側端末装置１と、患者の自宅から離れた遠隔地に存在する医療機関内に設置されたリモートアクセス認証サーバ装置２との間における認証処理に関して説明したが、医療機関内に設置された医師側端末装置と、医療機関内、又は医療機関とは別個の情報管理センタ等に設置されたセンターサーバ装置との間のデータ通信に適用してもよいことは言うまでもない。
【００５２】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【００５３】
その他、本発明は、その要旨を逸脱しない範囲内で種々変更して実施することが出来る。
【００５４】
たとえば、本実施の形態に係る医療用通信システムでは、ＩＰｓｅｃの規格に準拠した通信を確立した後で、予め設定されたタイムアウト時間内に再度患者が生体認証の処理を実行しない場合、換言すれば、患者の生体認証情報と、デジタル証明書のデータと、非接触式ＩＣカードＣＤ自体に固有のＩＤとが記憶された非接触式ＩＣカードＣＤを患者側端末装置１の非接触式ＩＣカードインターフェース部１ａに翳す行為を行わなければ、患者側端末装置１と、リモートアクセス認証サーバ装置２との間のセッションをセッションアウトにする機能をさらに付加してもよいことは言うまでもない。このような構成とすることによって、患者の入れ替わりやすり替えを防止することも可能になる。
【図面の簡単な説明】
【００５５】
【図１】本発明の一実施の形態に係る認証方法を適用した医療用通信システム１の全体構成を示すブロック図である。
【図２】同実施の形態に係る認証方法を医療用通信システムの実行処理を説明するための模式図である。
【図３】同実施の形態に係る認証方法を適用した医療用通信システムの実行処理を説明するためのフローチャートである。
【符号の説明】
【００５６】
ＣＤ  非接触式ＩＣカード、ＭＴＳ  医療用通信システム、１  患者側端末装置、１ａ  非接触式カードインターフェース部、１ｂ  生体認証情報記憶部、１ｃ  認証部、１ｄ  デジタル証明書取得部、１ｅ  デジタル証明書送付部、２  リモートアクセス認証サーバ装置
【図１】
0005309701.tif 000002
【図２】
0005309701.tif 000003
【図３】
0005309701.tif 000004